(57)【要約】【課題】各構成要素の分光特性に基づいて、高精度に表示パネルの色予測を行う。【解決手段】複数の構成要素を有する表示パネルにより表示される色を予測する表示パネルの色予測装置は、前記複数の構成要素の特性に基づき、ＲＧＢ各色について、前記表示パネルの駆動レベル毎に単色データを算出する単色データ生成手段と、前記ＲＧＢ３色のうちの１色についての前記単色データに、他の２色の非駆動レベルにおける単色データを加算して単色データの補正を行う補正手段と、を備える。【選択図】      図２
2004251731.tif 000002
【特許請求の範囲】
【請求項１】
表示パネルにより表示される色を予測する表示パネルの色予測装置において、色を構成する要素色のうちの１色の色予測を行う際に、当該１色の所定駆動レベルにおける予測色と、他の要素色の非駆動レベルにおける予測色とに基づいて、当該１色の予測色を決定することを特徴とする色予測装置。
【請求項２】
複数の構成要素を有する表示パネルにより表示される色を予測する表示パネルの色予測装置において、
前記複数の構成要素の特性に基づき、色を構成する要素色各色について、前記表示パネルの駆動レベル毎に単色データを算出する単色データ生成手段と、
前記要素色のうちの１色についての前記単色データに、他の要素色の非駆動レベルにおける単色データを加算して単色データの補正を行う補正手段と、を備えることを特徴とする色予測装置。
【請求項３】
前記構成要素はカラーフィルタ及び光源を含み、前記特性は前記カラーフィルタの分光特性及び前記光源の輝度特性を含むことを特徴とする請求項１又は２に記載の色予測装置。
【請求項４】
前記補正後の単色データを所定の基準階調特性に従って補間して前記表示パネルの階調数に相当する単色データを生成する手段をさらに備えることを特徴とする請求項２又は３に記載の色予測装置。
【請求項５】
色を構成する要素色についての前記補正後の単色データを加算して得られる加算データと、前記要素色全てが非駆動状態にあるときの単色データとに基づいて、混色データを生成する混色データ生成手段をさらに備えることを特徴とする請求項２乃至４のいずれかに記載の色予測装置。
【請求項６】
前記混色データ生成手段は、前記加算データから、前記要素色全てが非駆動状態にあるときの単色データの２倍を減算することを特徴とする請求項５に記載の色予測装置。
【請求項７】
前記単色データ及び混色データに基づいて、ＩＣＣプロファイルを生成する手段をさらに備えることを特徴とする請求項５又は６に記載の色予測装置。
【請求項８】
複数の構成要素を有する表示パネルにより表示される色を予測する表示パネルの色予測方法において、
前記複数の構成要素の特性に基づき、色を構成する要素色について、前記表示パネルの駆動レベル毎に単色データを算出する単色データ生成工程と、
前記要素色のうちの１色についての前記単色データに、他の要素色の非駆動レベルにおける単色データを加算して単色データの補正を行う補正工程と、を有することを特徴とする色予測方法。
【請求項９】
コンピュータにより実行され、複数の構成要素を有する表示パネルにより表示される色を予測する表示パネルの色予測プログラムにおいて、
前記複数の構成要素の特性に基づき、色を構成する要素色について、前記表示パネルの駆動レベル毎に単色データを算出する単色データ生成手段、
前記要素色のうちの１色についての前記単色データに、他の要素色の非駆動レベルにおける単色データを加算して単色データの補正を行う補正手段、として前記コンピュータを機能させることを特徴とする色予測プログラム。
【発明の詳細な説明】
【０００１】
【発明の属する技術分野】
本発明は、表示パネルの設計技術に関し、特にカラーフィルタの色予測方法に関する。
【０００２】
【背景技術】
カラー表示パネルにおいては、例えば電気光学素子を挟持する２枚の透明基板間に必要な電極や保護層が形成されるとともにカラーフィルタが配置される。透過型表示パネルの場合、バックライトなどの光源からの照明光は、カラーフィルタを含む表示パネルの各構成要素を透過して観察者の目に至る。よって、カラー表示パネルの色特性は、表示パネルの各構成要素の分光特性により影響を受けることになる。
【０００３】
表示装置の構成要素であるバックライトやカラーフィルタの分光特性を考慮して各色の電気光学セルの開口部の面積比率を決定し、色再現特性を制御する手法が提案されている（特許文献１を参照）。また、表示パネル全体の分光特性は、表示パネルを構成する各構成要素の分光特性の積により決定されることが報告されている（非特許文献１を参照）。
【０００４】
なお、表示パネルの色設計や色再現性の制御を行う際には、加法混色の手法がよく用いられる（特許文献２、非特許文献２などを参照）。
【０００５】
【特許文献１】
特開平８−８４３４７号公報
【特許文献２】
特開２００２−１３１１３１号公報
【非特許文献１】
高橋達見、“カラーフィルタ”、日本画像学会誌、第４１巻、第１号（２００２）
【非特許文献２】
田村信彦  他２名、“チャネル間相互作用を考慮した液晶ディスプレイの色再現特性のキャリブレーション”、映像情報メディア学会誌  Ｖｏｌ．５６，  Ｎｏ．８，  ｐｐ．１３１５〜１３２０  （２００２）
【０００６】
【発明が解決しようとする課題】
従って、表示パネルの色特性を予測する方法として、表示パネルの各構成要素の分光特性の積を計算する方法が考えられる。しかし、単純に表示パネルの各構成要素の分光特性の積を計算しただけでは、実際の表示パネルの色特性の実測値とは一致せず、十分な予測精度が得られないことがわかっている。
【０００７】
本発明は、以上の点に鑑みてなされたものであり、各構成要素の分光特性に基づいて、高精度に表示パネルの色予測を行うことを目的とする。
【０００８】
【課題を解決するための手段】
本発明の１つの観点では、表示パネルにより表示される色を予測する表示パネルの色予測装置は、色を構成する要素色のうちの１色の色予測を行う際に、当該１色の所定駆動レベルにおける予測色と、他の要素色の非駆動レベルにおける予測色とに基づいて、当該１色の予測色を決定する。
【０００９】
上記の色予測装置は、表示パネルが所定の駆動レベルで駆動された際の要素各色の色を計算により予測し、予測色のデータを生成する。色を構成する要素色は、例えばＲ（レッド）、Ｇ（グリーン）、Ｂ（ブルー）が代表的であるが、減法混色によるＣ（シアン）、Ｍ（マゼンタ）、Ｙ（イエロー）や、ＲＧＢに紫色を加えた多色（マルチカラー）などであってもよい。ここで、例えばＲＧＢ３色により構成されるカラー表示パネルの場合、ある色の領域が所定の駆動レベルで駆動されたときの予測色は、その色自身の領域の光による色成分に加えて、隣接する他の２色が非駆動レベルにあるときの漏れ光による色成分を含む。これは、表示パネルの１画素がＲＧＢ３色の隣接する領域により構成されており、１色のみを駆動し、他の２色を非駆動とした場合でも、電気光学素子のシャッター機能が完全でないために他の２色の漏れ光が混入するからである。よって、そのような漏れ光が生じることを考慮し、他の２色の非駆動レベルにおける予測色も加味して当該１色の予測色を決定することにより、実測値と近い高精度の予測色を得ることができる。
【００１０】
本発明の他の観点では、複数の構成要素を有する表示パネルにより表示される色を予測する表示パネルの色予測装置は、前記複数の構成要素の特性に基づき、色を構成する要素色について、前記表示パネルの駆動レベル毎に単色データを算出する単色データ生成手段と、前記要素色のうちの１色についての前記単色データに、他の要素色の非駆動レベルにおける単色データを加算して単色データの補正を行う補正手段と、を備える。
【００１１】
また、同様の観点では、複数の構成要素を有する表示パネルにより表示される色を予測する表示パネルの色予測方法は、前記複数の構成要素の特性に基づき、色を構成する要素色について、前記表示パネルの駆動レベル毎に単色データを算出する単色データ生成工程と、前記要素色のうちの１色についての前記単色データに、他の要素色の非駆動レベルにおける単色データを加算して単色データの補正を行う補正工程と、を有する。
【００１２】
上記の色予測装置によれば、例えばＲＧＢ３色を要素色とする場合、まず表示パネルを構成する複数の構成要素の特性に基づいて、ＲＧＢ各色について所定の駆動レベルにあるときの単色データを算出する。そして、隣接する他の２色の漏れ光の影響を考慮し、得られた単色データに、他の２色の非駆動レベルにおける単色データを加算して補正を行う。これにより、実測値と近い高精度の色データを得ることができる。
【００１３】
上記の色予測装置の一実施例では、前記構成要素はカラーフィルタ及び光源を含み、前記特性は前記カラーフィルタの分光特性及び前記光源の輝度特性とすることができる。これにより、本色予測装置の色予測を利用してカラーフィルタの設計を行うことができる。
【００１４】
上記の色予測装置の一態様は、前記補正後の単色データを所定の基準階調特性に従って補間して前記表示パネルの階調数に相当する単色データを生成する手段をさらに備える。
【００１５】
表示パネルの階調数が多い場合は、単色データの生成を各駆動レベル毎に行うと、特性の入力や演算処理の負担が大きなる。そこで、単色データの生成は所定の駆動レベル数（例えば１６）で単色データを生成し、基準階調特性に従って補間を行うことにより、実際の表示パネルの階調数（例えば２５６）に対応する単色データを生成する。これにより、演算処理負担などが過大となることが防止できる。
【００１６】
上記の色予測装置の一態様は、色を構成する要素色についての前記補正後の単色データを加算して得られる加算データと、前記要素色全てが非駆動状態にあるときの単色データとに基づいて、混色データを生成する混色データ生成手段をさらに備える。また、その一実施例では、前記混色データ生成手段は、前記加算データから、前記要素色全てが非駆動状態にあるときの単色データの２倍を減算する。これにより、ＲＧＢの単色データのみならず、混色データを得ることができる。この際、単色データの補正により他の２色の非駆動レベルにおける色成分が各色の単色データに含まれているので、その分を減算することにより、オフセット分を除去した正確な混色データを得ることができる。
【００１７】
上記の色予測装置の一態様では、前記単色データ及び混色データに基づいて、ＩＣＣプロファイルを生成する手段をさらに備えることができる。これにより、予測された色データを利用して、その表示パネルに対応するＩＣＣプロファイルを作成することができる。
【００１８】
本発明の他の観点では、コンピュータにより実行され、複数の構成要素を有する表示パネルにより表示される色を予測する表示パネルの色予測プログラムは、前記複数の構成要素の特性に基づき、色を構成する要素色について、前記表示パネルの駆動レベル毎に単色データを算出する単色データ生成手段、前記要素色のうちの１色についての前記単色データに、他の要素色の非駆動レベルにおける単色データを加算して単色データの補正を行う補正手段、として前記コンピュータを機能させる。この色予測プログラムをコンピュータ上で実行することにより、上記の色予測装置を実現することができる。
【００１９】
【発明の実施の形態】
以下、図面を参照して本発明の好適な実施の形態について説明する。
【００２０】
本発明では、表示パネルとして液晶表示パネルを用い、液晶表示パネルの色予測において、液晶表示パネルの構造に起因して色特性に影響を与える要素、具体的にはセルからの漏れ光を考慮して色予測を行うことを特徴とする。
【００２１】
［液晶表示パネルの構造］
図１に透過型液晶表示パネル１００の概略構成を示す。図示のように、液晶表示パネル１００は、２枚のガラス基板２及び１０により液晶層７を挟持している。図中上側のガラス基板２の内面、即ち液晶層７側の面には、カラーフィルタ３及び保護膜４が設けられ、その下側にＩＴＯ（Ｉｎｄｉｕｍ−Ｔｉｎ  Ｏｘｉｄｅ）により対向電極５が形成される。さらに、対向電極５の下側に配向膜６が設けられる。一方、図中下側のガラス基板１０の内面には画素毎に駆動素子であるＴＦＤ（Ｔｈｉｎ  Ｆｉｌｍ  Ｄｉｏｄｅ）素子が設けられるとともに、ＩＴＯにより画素電極９及び信号線１６が形成され、さらにその上に配向膜８が設けられる。
【００２２】
また、上側のガラス基板２の外面（図中上側の面）上には偏光板１が配置され、下側のガラス基板１０の外面（図中下側の面）には偏光板１１が配置される。また、偏光板１１の下には集光フィルム１４が貼付されている。集光フィルム１４は、分光特性を変化させずに、光源からの照明光のゲインを上げる機能を有する。
【００２３】
このように構成された液晶表示パネル１００には、バックライト１２からの照明光が照射される。バックライト１２は、例えば所定数のＬＥＤと、ＬＥＤからの光を拡散して液晶表示パネル１００方向へ導く導光板などを備えて構成される。バックライト１２からの照明光が液晶表示パネル１００の各層を透過して観察者の目１８に至る。
【００２４】
［色予測］
次に、本発明による液晶表示パネルの色予測方法について説明する。まず、概要を説明すると、本発明の色予測方法では、液晶表示パネルの各構成要素の分光特性に基づいて、液晶表示パネルの分光特性をセル毎に演算する。その際に、セルからの漏れ光の影響を考慮する。そして、ＲＧＢ各色の単色としての色を計算により予測した後、単色以外の色（混色）の色予測を行う。
【００２５】
なお、以下に示す実施形態では、図１に示した液晶表示パネル１００の構成要素のうち、ガラス基板２及び１０、並びに配向膜６及び８は考慮しないものとする。これは、ガラス基板及び配向膜は、可視光の波長においてほぼフラットな形状の分光特性を持ち、色予測に対してほとんど影響を与えないことによる。但し、これらについてももちろん他の構成要素と同様に色予測の演算に加えることができる。その場合は、ガラス基板や配向膜毎に分光特性を求めて、本実施形態で演算に含める各構成要素と同様に独立の構成要素として演算に加えてもよいし、ガラス基板や配向膜の分光特性を本実施形態で演算に含めている各種透明膜の一部として演算することもできる。
【００２６】
本実施形態による色予測処理のフローチャートを図２に示す。
【００２７】
処理の開始前には、液晶表示パネルを構成する各構成要素毎の分光特性及び液晶表示パネルの開口率が予め測定などにより決定され、入力データとして用意される。そして、処理を開始すると、まず、各構成要素の分光特性及び開口率が入力される（ステップＳ１）。なお、「セル」とは１画素を構成する領域に含まれるＲＧＢ各色の領域を指す。
【００２８】
次に、それら入力データに基づいて、液晶表示パネルのセル単位で、各構成要素の分光特性の積が計算される（ステップＳ２）。次に、各セルを構成するＲ、Ｇ、Ｂ各色毎の三刺激値（Ｘ、Ｙ、Ｚ）を計算する（ステップＳ３）。このステップにおいて、本発明の特徴である、セルからの漏れ光を考慮した演算が行われる。
【００２９】
次に、得られた三刺激値を補間計算により、液晶表示パネルの階調数分のデータとする（ステップＳ４）。次に、補間計算により得られたＲＧＢ単色のＸ、Ｙ、Ｚを用いて、単色以外の混色について計算を行う（ステップＳ５）。そして、得られた結果を出力し（ステップＳ６）、処理は終了する。
【００３０】
次に、各ステップ毎に詳しく説明する。
【００３１】
（分光特性、開口率などの入力：ステップＳ１）
まず、ステップＳ１では、色予測を行うために、液晶表示パネル１００の各構成要素の分光特性及び開口率が入力される。具体的には、図３（ａ）に示す各データが入力される。図３（ａ）に示す入力データのうち、「液晶駆動」は液晶層７と偏光板１及び１１の分光特性データであり、その特性例を図４（ａ）に示す。なお、液晶層７と偏光板１及び１１の部分を以下、「液晶駆動部」とも呼ぶ。図４（ａ）の例は、液晶表示パネルの駆動レベル（階調数に相当する）を１６（即ち、ｎ＝０，．．，１５）とした場合の液晶駆動部の分光特性データであり、階調毎に分光特性が変わることがわかる。なお、液晶表示パネル１００への入力データが８ビット＝２５６階調である場合、２５６の駆動レベルの分光特性を入力することも可能であるが、その場合は入力する分光特性のデータ量が多くなる。このため、本実施形態では、１６の駆動レベルを入力し、後述の補間計算により２５６階調分のデータを作成することとしている。
【００３２】
入力データのうちの「カラーフィルタ」はカラーフィルタ３の分光特性データであり、その特性例を図４（ｂ）に示す。カラーフィルタはＲ、Ｇ及びＢの各色の領域からなるため、その分光特性はＲ、Ｇ、Ｂ毎に規定される。
【００３３】
「各種透明膜」は保護膜４、対向電極５及び画素電極９の各構成要素の分光特性データであり、その特性例を図４（ｃ）に示す。図４（ｃ）の例では、保護膜４と、ＩＴＯで形成される電極５及び９の分光特性が示されている。「バックライト」はバックライト１２の特性データであり、実際には図４（ｄ）に示すようにバックライトから出射される照明光の放射輝度の特性データである。よって、横軸は波長であり、縦軸は放射輝度となっている。
【００３４】
「開口率」は、液晶表示パネル１００の各セル内における画像表示領域の割合を示す値であり、液晶表示パネル上の電極、駆動素子、各種電極の配置などに依存して液晶表示パネル毎に決まる値である。「集光フィルム増加率」は、集光フィルム１４による照明光の増幅率に相当する。集光フィルムは分光特性に影響を与えずに照明光の明るさのみを増加ささせるため、集光フィルム増加率は波長に依存しない一定値となる。
【００３５】
これら入力データは、以下の計算式の説明では図（ｃ）に示す関数又は定数で記述することとする。即ち、液晶駆動部の分光特性はＬＣ（ｎ，λ）で記し、カラーフィルタの分光特性はＲ、Ｇ、Ｂ各色について、それぞれＣＦＲ（λ）、ＣＦＧ（λ）、ＣＦＢ（λ）で記す。また、各種透明膜は、保護膜４の分光特性をＦＬ１（λ）で記し、対向電極５の分光特性をＦＬ２（λ）で記し、画素電極９の分光特性をＦＬ３（λ）で記す。また、バックライトの放射輝度特性をＢＬ（λ）で記し、開口率をＡ１で記し、集光フィルム増加率をＡ２で記す。
【００３６】
（セル単位の分光特性積の計算：ステップＳ２）
各構成要素の特性データの入力が完了すると、次にセル単位で分光特性の積を計算する。例えば、赤色（Ｒ）セル（以下、「Ｒセル」とも呼ぶ。）において駆動レベルｎ、波長λにおける分光特性の積は以下の式（１）により計算される（百分率（０〜１００）から比率（０〜１）への換算項は省略した）。
【００３７】
【数１】
2004251731.tif 000003
【００３８】
図３（ｃ）を参照するとわかるように、ＲＧＢ各色とも、分光特性の積Ｓ（ｎ，λ）は基本的にステップＳ１で入力された各データの積である。なお、式（１）において“１／３”を乗算しているのは、液晶表示パネル１００のセル構造がストライプ型であり、各色のセルの面積は１画素の面積の１／３に相当するからである。図５に、式１により計算した、各駆動レベル（階調）毎の赤色セルの分光特性変化を示す。
【００３９】
式（１）から理解されるように、Ｒセルにおける分光特性の積ＳＲ（ｎ，λ）、緑色（Ｇ）セル（以下、「Ｇセル」とも呼ぶ。）における分光特性の積ＳＧ（ｎ，λ）及び青色（Ｂ）セル（以下、「Ｂセル」とも呼ぶ。）における分光特性の積ＳＢ（ｎ，λ）は、カラーフィルタの分光特性が各色で異なる以外は同じ計算により得られる。
【００４０】
（単色ＲＧＢのＸＹＺ計算：ステップＳ３）
次にステップＳ２で計算した分光特性の積を用いて、各セルの駆動による三刺激値を計算する。例えば駆動レベルをｎとすると、ＲＧＢ各セルのＸ値、Ｙ値、Ｚ値はそれぞれ以下の式（２）で得られる。
【００４１】
【数２】
2004251731.tif 000004
【００４２】
なお、式（２）の定数ｋは放射輝度から輝度への換算定数６８３であり、この定数ｋを乗算することにより、ＹＲ（ｎ）〜ＹＢ（ｎ）は輝度［ｃｄ／ｍ２］として得られることになる。また、ｘ（λ）、ｙ（λ）、ｚ（λ）は等色関数と呼ばれ、三刺激値ＸＹＺを得るための人間の目の感度関数に相当するものである。よって、セル毎の分光特性の積に等色関数を乗算し、波長で積分することにより、三刺激値ＸＹＺが求められる。
【００４３】
さて、こうしてＲＧＢ各色の三刺激値が得られるが、これらだけでは正確な単色ＲＧＢの色予測を行うためには十分ではない。その理由は、例えば赤（Ｒ）単色の予測を行う場合、ＧセルとＢセルからの漏れ光を考慮する必要があるからである。
【００４４】
図６に漏れ光発生の様子を模式的に示す。図６において、カラーフィルタ３の赤色領域を３Ｒ、緑色領域を３Ｇ、青色領域を３Ｂとする。液晶表示パネルは、照明光を液晶の配向によるシャッター機能により部分的に通過させ又は遮断することにより表示を実現している。例えば、液晶表示パネルにより赤色単色を表示する場合、図６の下方から照射される照明光が、カラーフィルタ３の赤色領域３Ｒを通過し、かつ、緑色領域３Ｇ及び青色領域３Ｂを通過しないように駆動電圧を印加して液晶分子の配向を制御する。これにより、赤色領域３Ｒを通過した光のみが観察者に至り、緑色領域３Ｇ及び青色領域３Ｂでは照明光が通過しない。その結果、観察者は赤色のみの表示を認識することになる。
【００４５】
しかし、実際には、液晶表示パネルの駆動レベルを「０」としても、液晶によるシャッター機能は完全ではなく、図６に模式的に示すように無視できない程度の漏れ光が発生する。この漏れ光が、観察者が実際に認識する色に影響を与える。その結果、単純に液晶表示パネルの各構成要素の分光特性の積を計算して色予測を行っても、その結果は実測値とは一致しない。
【００４６】
そこで、本発明では、この漏れ光の影響を考慮した演算を実行する。具体的には、図６のような場合、ＧセルとＢセルからの漏れ光の影響を考慮すると、ＲセルのＸ値ＸＲ（ｎ）は次式（３）により補正され、補正後のＸ値はＸ’Ｒ（ｎ）として得られる。また、他の色及びＹ、Ｚ値も同様に得られる。
【００４７】
【数３】
2004251731.tif 000005
【００４８】
これらの値が最終的な単色の三刺激値となる。
【００４９】
なお、式（３）によれば、ＲＧＢ全てのセルがオフの場合、即ち表示データが黒の場合のＸＹＺ各値はＲＧＢの全てのセルで等しくなり、次式のように表せる（ＲＧＢで等しくなるため、あらためてＸ’（０）、Ｙ’（０）、Ｚ’（０）、として表す）。
【００５０】
【数４】
2004251731.tif 000006
【００５１】
図７に、式（３）に従って単色ＲＧＢのＸＹＺ値を予測し、ｘｙ色度上にプロットした結果を示す。駆動レベルが変わるとき、単色のｘｙ色度が内側にシフトしていくことが確認できる。内側にシフトしているのは、漏れ光を考慮したためである。
【００５２】
（単色ＲＧＢのＸＹＺの補間計算：ステップＳ４）
分光特性及び開口率の入力の欄で述べたが、本実施形態の色予測処理では液晶表示パネルの駆動レベルとして１６駆動レベルを入力し、後で２５６駆動レベル（即ち２５６階調）分計算することとしている。よって、ステップＳ３で三刺激値の計算が終了した後、２５６階調分のＸＹＺ値を得るための補間計算を行う。これは、次式により求められる。
【００５３】
【数５】
2004251731.tif 000007
【００５４】
ここで、式（５）における変数ｍは、液晶表示パネル１００に供給される２５６階調のデータとなる。
【００５５】
図８に補間計算のフローチャートを示し、図９に補間計算課過程の階調特性のグラフを示す。基準となる階調特性に従ってデータ補間を行うため、まず、基準階調特性（γ２．２：データと輝度が指数２．２として表される特性など）を入力する（ステップＳ１０）。続いて、補間元データとして、先に得られた１６階調分のＸＹＺ値を入力し、正規化を行う（ステップＳ１１）。
【００５６】
次に、ステップＳ１２〜Ｓ１４により構成されるループでは、補間元データが基準階調特性のどの位置に該当するかを決定する。具体的には、補間元データに最も近い基準階調特性上の値を探索し（ステップＳ１２）、探索により得られた値に近いデータをその階調レベルに対応する値として記録する（ステップＳ１３）。これを全ての補間元データについて実行する（ステップＳ１４）。なお、ステップＳ１２〜Ｓ１５の処理は、液晶表示パネルの各駆動レベルが基準階調特性のどこに該当するかを決定しているので、ＲＧＢのＸＹＺ値のいずれか１つを利用してこの対応付けを行い、他についてはその決定された対応付けを利用すればよい。図９の例は、Ｇセルの輝度Ｙ’Ｇ（ｎ）を用いて、液晶駆動レベルの対応付けを行っている。
【００５７】
次に、ステップＳ１５及びＳ１６により構成されるループでは、隣接データ間の補間を行う。即ち、ステップＳ１３で得られた複数のデータのうち、隣接するデータ間を基準階調特性に沿って補間して値を記録し（ステップＳ１５）、これをステップＳ１３で得られた全てのデータについて実行する（ステップＳ１６）。こうして、１６駆動レベル（階調レベル）分の入力データを補間して２５６階調分のデータを得ることができる。
【００５８】
（混色計算：ステップＳ５）
次に、補間計算によって求めた単色ＲＧＢのＸＹＺ値を用いて、単色以外の色を計算する。基本的には加法混色とするが、このとき黒のオフセット分を重ねて加算しないようにする。具体的には、液晶表示パネルへ供給するデータを（ｍＲ，ｍＧ，ｍＢ）とするとき、式（４）と式（５）を用いて、黒のオフセット分が重複しないように加法混色を行う式を以下に示す。
【００５９】
【数６】
2004251731.tif 000008
【００６０】
以上の計算によって、液晶表示パネルの各構成要素の分光特性や開口率などに基づいて、色予測が行える。特に、ここで予測した三刺激値のＹは輝度であるため、データが（ｍＲ，ｍＧ，ｍＢ）＝（２５５，２５５，２５５）のときの輝度Ｙ’’’（２５５，２５５，２５５）については、バックライト単体の輝度に対する比率を計算することによって、透過率の予測も行うことができる。
【００６１】
［本色予測方法の評価］
以上説明した本発明の色予測方法によれば、液晶表示パネルの各構成要素の分光特性の積を単純に計算するのみでなく、液晶表示パネルの構造上不可避である漏れ光の影響を考慮して予測を行っているので、実測値に近い高精度の色予測が可能である。一例では、従来の分光特性の単純な積による予測による色予測精度がΔＥ９４平均が８．０８程度だったのに対し、本実施形態の色予測手法による色予測精度はΔＥ９４平均が３．９２程度であり、色予測精度が大幅に改善された。なお、ΔＥ９４は予測値と実測値との差である色差を示す。
【００６２】
このように高精度で色予測を行うことができるので、液晶表示パネルの試作を行わずに液晶カラーフィルタの設計することが可能となる。従来からカラーフィルタ設計時に液晶表示パネルの色予測は行われていたが、試作なしで設計を行えるほどに高い予測精度は得られていなかった。本発明の色予測手法により、試作なしでも最適なカラーフィルタの設計が可能となる。
【００６３】
［変形例］
なお、ここで示した液晶表示パネルの構造は一例であり、例えばカラーフィルタが下側ガラス基板側に配置されるなど、各層や膜の配置が異なるタイプの液晶表示パネルに対しても本発明は適用可能である。また、ＴＦＤ駆動方式の透過型液晶表示パネルを例示したが、本発明の色予測方法は、ＴＦＴ駆動方式の液晶表示パネルや、半透過反射型液晶表示パネルなどにも適用が可能である。
【００６４】
また、液晶表示パネルに限らず、エレクトロルミネッセンスパネル、無機エレクトロルミネッセンスパネル、プラズマディスプレイパネル、電気泳動表示パネル、電界放出表示パネル、ＬＥＤ（ライトエミッティングダイオード）表示パネルなどの電気光学パネルにおいても本発明を同様に適用することが可能である。
【００６５】
さらに、上記の色予測処理では、ＲＧＢをカラーの構成要素色とする液晶表示パネルについて説明を行ったが、例えば、▲１▼ＣＭＹの減法混色によるカラー液晶表示パネル、▲２▼ＲＧＢに加えてオレンジ・紫等を設けた多色（マルチカラー）液晶表示パネル、など、カラーの構成要素色がＲＧＢ以外からなる液晶表示用パネルにも、本発明の色予測方法は適用が可能である。
【００６６】
上記の色予測処理は、データ入力部と演算部を備える色予測装置により実行される。また、上記の色予測処理を色予測プログラムとして構成し、データ入力部とＣＰＵなどの演算部を備えるコンピュータにより色予測プログラムを実行することも可能である。
【００６７】
［応用例］
近年では、各種表示装置間で同一の色を表示すべきとの要求が大きくなっており、そのためには各表示装置の色特性をデータとして求める必要がある。各種表示装置の色特性を記述するためのファイルのフォーマットはＩＣＣ（Ｉｎｔｅｒｎａｔｉｏｎａｌ  Ｃｏｌｏｒ  Ｃｏｎｓｏｒｔｉｕｍ）で定められており、各種情報機器ではＩＣＣプロファイルを利用したカラーマネージメントシステムが導入されている。また、色特性データから、ＩＣＣプロファイルを作成するソフトウェアも開発され、市販されている。よって、そのようなソフトウェアを利用すれば、本発明の色予測方法により得られた色特性データからＩＣＣプロファイルを作成することが可能である。
【図面の簡単な説明】
【図１】透過型液晶表示パネルの概略構成を示す。
【図２】色予測処理のフローチャートである。
【図３】色予測処理における入出力データを示す。
【図４】色予測処理で入力される特性例を示す。
【図５】赤色（Ｒ）セルの駆動レベル毎の分光特性を示す。
【図６】セルからの漏れ光の様子を模式的に示す。
【図７】単色ＲＧＢのＸＹＺ予測時のｘｙ色度図である。
【図８】単色ＲＧＢの補間計算のフローチャートである。
【図９】補間計算過程における階調特性例を示す。
【符号の説明】
１、１１  偏光板、  ２、１０  ガラス基板、３  カラーフィルタ、
４  保護膜、  ５  対向電極、  ６、８  配向膜、  ７  液晶層、  ９  画素電極、
１２  バックライト、  １４  集光フィルム、  １６  信号線、
１７  ＴＦＤ素子  １００  液晶表示パネル
【図１】
2004251731.tif 000009
【図２】
2004251731.tif 000010
【図３】
2004251731.tif 000011
【図４】
2004251731.tif 000012
【図５】
2004251731.tif 000013
【図６】
2004251731.tif 000014
【図７】
2004251731.tif 000015
【図８】
2004251731.tif 000016
【図９】
2004251731.tif 000017